(57)【要約】【課題】培養液の中にエアーを供給することに伴い発生する騒音を低減するとともに、額内で植物を容易に育成しながらその鑑賞を楽しめるようにする。【解決手段】床２１及び蓋２２の横幅方向両端部には孔が形成されており、これらにエアーパイプ２５が通され、その栽培槽底面に沿った部分には、上方の穴２２１及び２２２のそれぞれに対応して、気泡吐出孔２５１及び２５２が形成されている。エアーパイプ２５の両端部は、中枠１１の対向する側面の孔に取着されたジョイント２６及び２７の内端部に接続されている。中枠１１内の上面中央部には、排気ファン３０が配設され、ダクト３１を介して箱形額１０の排気口３１１に接続されている。排気ファン３０をオンにすると、中枠１１内が負圧になって、吸気口２６１及び２７１から外気がエアーパイプ２５内へ流入し、孔２５１及び２５２から気泡が吐出される。【選択図】図２
2007174965.tif 000002
【特許請求の範囲】
【請求項１】
培養液を貯える栽培槽と、
正面に窓口が形成され、該窓口が透明板で封止され、下部に該栽培槽が配置され、吸気口及び排気口が設けられた箱形額と、
該吸気口から該栽培槽内まで外気を導く空気流路と、
該箱形額内の空気を該排気口から排気させる排気手段と、
を有し、該排気手段により該箱形額内の空気を該排気口から排気させることにより、該箱形額内を負圧にして該吸気口から外気を導入させ該栽培槽内の培養液の中に気泡を吐出させることを特徴とする額型植物育成装置。
【請求項２】
該排気手段は、該箱形額内の上部に配置された排気ファンと、該排気ファンの排気口と該箱形額の排気口との間に接続されたダクトとを有することを特徴とする請求項１に記載の額型植物育成装置。
【請求項３】
該排気手段は、該箱形額の外部に配置された排気装置と、該排気装置の吸気口と該箱形額の該排気口との間に接続されたパイプとを有することを特徴とする請求項１に記載の額型植物育成装置。
【請求項４】
該栽培槽内の中間部に、上面が該栽培槽の底面と平行に配置され、該上面に複数の孔が形成された床部材と、
該栽培槽の上面開口部を覆い、植物が通る開口が形成された蓋部材と、
をさらに有し、該床部材と該蓋部材の間に培土を貯える空間が在ることを特徴とする請求項１乃至３のいずれか１つに記載の額型植物育成装置。
【請求項５】
該箱形額は、
中枠部と該中枠部の背面を閉じる背板部とを有する箱部と、
該中枠部の前面に取着される額縁と、該額縁の窓口を封止する該透明板と、
を有することを特徴とする請求項１乃至４のいずれか１つに記載の額型植物育成装置。
【請求項６】
該箱形額の対向する側面の対向する位置にそれぞれ第１及び第２の該吸気口が形成され、
該空気流路は、該第１の吸気口と該第２の吸気口との間を連通するパイプを有し、
該パイプの該栽培槽の底面に沿った部分に気泡吐出孔が形成されている、
ことを特徴とする請求項１乃至５のいずれか１つに記載の額型植物育成装置。
【請求項７】
該気泡吐出孔と該蓋部材の開口とが上下に対応した位置に形成され、該床部材に形成された複数の孔は、該気泡吐出孔と該蓋部材の開口との間に対応した部分に形成されたものの径が他の部分に形成されたものの径よりも大きいことを特徴とする請求項４乃至６のいずれか１つに記載の額型植物育成装置。
【請求項８】
該箱形額の前面の該窓口の下方が不透明部であり、該不透明部の上辺高さ位置が該栽培槽の上端より高く、該不透明部の水平方向一端部に覗き孔が形成され、該栽培槽が透明部材で形成されていることを特徴とする請求項１乃至７のいずれか１つに記載の額型植物育成装置。
【請求項９】
該箱形額にはさらに、該箱形額の外部から内部へ二酸化炭素ガスを流入させるガス添加口が備えられ、該ガス添加口と通じる流路に開度調整弁が介装され、
該排気手段により該箱形額内の空気を該排気口から排気させることにより、該箱形額内を負圧にして該吸気口から該箱形額の内部へ外気を流入させるとともに該ガス添加口を介して該箱形額の内部へ二酸化炭素ガスを流入させる、
ことを特徴とする請求項１乃至８のいずれか１つに記載の額型植物育成装置。
【請求項１０】
該箱形額内の両側部の各々又は上部に照明灯が配設されていることを特徴とする請求項１乃至９のいずれか１つに記載の額型植物育成装置。
【発明の詳細な説明】
【技術分野】
【０００１】
本発明は、箱形額内で植物を育成する額型植物育成装置に関する。
【背景技術】
【０００２】
額は、これに入れられる絵画や写真を引き立たせる。
【０００３】
そこで、下記特許文献１には、台の上に花瓶や水盤を配置し、額を通して花瓶等が見えるようにすることが提案されている。また、下記特許文献２には、額内に水皿をいれ、梅の枝や花などを切り取って、水皿上の剣山に挿し、壁掛型にするものが提案されている。
【０００４】
しかし、これらはいずれも、植物を育成しながら鑑賞を楽しむためのものではない。
【０００５】
額内で植物を育成するためには、水や養分を容易に与えることができるようにするとともに、根腐れが生じない環境を植物に与える必要がある。
【０００６】
一方、水耕栽培装置では、エアーポンプとエアーストーンとの間をパイプで接続し、このエアーストーンを水中に配置して気泡を発生させることにより、根腐れを防止するとともに、培養液を攪拌させている（下記特許文献３）。
【０００７】
また、箱形額内で植物を育成する場合、植物の蒸散作用によりに箱形額内の湿度が高くなって、蒸散が妨げられるので、換気を行う必要がある。
【特許文献１】特開平０９−１４０５３２号公報
【特許文献２】特開平中枠１１-１７９１４１号公報
【特許文献３】特許第２７７１６３１５号公報
【発明の開示】
【発明が解決しようとする課題】
【０００８】
このため、箱形額内で植物を育成するには、根腐れ防止用エアーポンプと、換気用排気装置とが必要になり、部品点数が増えるとともに、騒音が大きくなる。特に、エアーポンプではエアーを圧縮するための直線加速往復運動に起因して振動が生ずるので、エアーポンプを額に取着すると、額に振動が伝達するとともに、騒音が比較的大きく、実用的でない。
【０００９】
本発明は、本発明者によるこのような着眼点に基づき案出されたものであり、その目的とするところは、部品点数を少なくして構成を簡単化できる額型植物育成装置を提供することにある。
【００１０】
本発明の他の目的は、根へのエアー供給及び額内換気により生ずる騒音を低減するとともに、額内で植物を容易に育成しながらその鑑賞を楽しむことができる額型植物育成装置を提供することにある。
【課題を解決するための手段】
【００１１】
本発明による額型植物育成装置の第１態様では、
培養液を貯える栽培槽と、
正面に窓口が形成され、該窓口が透明板で封止され、下部に該栽培槽が配置され、吸気口及び排気口が設けられた箱形額と、
該吸気口から該栽培槽内まで外気を導く空気流路と、
該箱形額内の空気を該排気口から排気させる排気手段とを有し、該排気手段により該箱形額内の空気を該排気口から排気させることにより、該箱形額内を負圧にして該吸気口から外気を導入させ該栽培槽内の培養液の中に気泡を吐出させる。
【００１２】
本発明による額型植物育成装置の第２態様では、第１態様において、該排気手段は、該箱形額内の上部に配置された排気ファンと、該排気ファンの排気口と該箱形額の排気口との間に接続されたパイプとを有する。
【００１３】
本発明による額型植物育成装置の第３態様では、第１態様において、該排気手段は、該箱形額の外部に配置された排気装置と、該排気装置の吸気口と該箱形額の該排気口との間に接続されたパイプとを有する。
【００１４】
本発明による額型植物育成装置の第４態様では、第１乃至３態様のいずれか１つにおいて、
該栽培槽内の中間部に、上面が該栽培槽の底面と平行に配置され、該上面に複数の孔が形成された床部材と、
該栽培槽の上面開口部を覆い、植物が通る開口が形成された蓋部材とをさらに有し、該床部材と該蓋部材の間に培土を貯える空間が在る。
【００１５】
本発明による額型植物育成装置の第５態様では、第１乃至４態様のいずれか１つにおいて、
該箱形額は、
中枠部と該中枠部の背面を閉じる背板部とを有する箱部と、
該中枠部の前面に取着される額縁と、該額縁の窓口を封止する該透明板とを有する。
【００１６】
本発明による額型植物育成装置の第６態様では、第１乃至５態様のいずれか１つにおいて、
該箱形額の対向する側面の対向する位置にそれぞれ第１及び第２の該吸気口が形成され、
該空気流路は、該第１の吸気口と該第２の吸気口との間を連通するパイプを有し、
該パイプの該栽培槽の底面に沿った部分に気泡吐出孔が形成されている。
【００１７】
本発明による額型植物育成装置の第７態様では、第４乃至６態様のいずれか１つにおいて、該気泡吐出孔と該蓋部材の開口とが上下に対応した位置に形成され、該床部材に形成された複数の孔は、該気泡吐出孔と該蓋部材の開口との間に対応した部分に形成されたものの径が他の部分に形成されたものの径よりも大きい。
【００１８】
本発明による額型植物育成装置の第８態様では、第１乃至７態様のいずれか１つにおいて、該箱形額の前面の該窓口の下方が不透明部であり、該不透明部の上辺高さ位置が該栽培槽の上端より高く、該不透明部の水平方向一端部に覗き孔が形成され、該栽培槽が透明部材で形成されている。
【００１９】
本発明による額型植物育成装置の第９態様では、第１乃至８態様のいずれか１つにおいて、
該箱形額にはさらに、該箱形額の外部から内部へ二酸化炭素ガスを流入させるガス添加口が備えられ、該ガス添加口と通じる流路に開度調整弁が介装され、
該排気手段により該箱形額内の空気を該排気口から排気させることにより、該箱形額内を負圧にして該吸気口から該箱形額の内部へ外気を流入させるとともに該ガス添加口を介して該箱形額の内部へ二酸化炭素ガスを流入させる。
【００２０】
本発明による額型植物育成装置の第１０態様では、第１乃至９態様のいずれか１つにおいて、該箱形額内の両側部の各々又は上部に照明灯が配設されている。
【発明の効果】
【００２１】
上記第１態様の構成によれば、排気手段により箱形額内の空気を排気口から排気させることにより、該箱形額内を負圧にして吸気口から外気を導入させ、栽培槽内の培養液の中に気泡を吐出させるので、エアーポンプを用いることなく、培養液を攪拌するとともに植物の根に空気を供給して根腐れを防止しつつ植物の育成を助長でき、しかも、箱形額内を排気して植物の蒸散作用が妨げられるのを防止することができるという効果を奏する。
【００２２】
しかも、根の酸素呼吸により生じた二酸化炭素が略密閉された箱形額内で排気手段により上昇して効率よく葉に与えられ、光合成が助長されるという効果を奏する。
【００２３】
また、エアーポンプを用いる必要がないので、部品点数を低減できるとともに、騒音を低減することができ、額型植物育成装置を壁に掛けたり置物にしたりしても室内滞在者に不快感を与えることが殆どないという効果を奏する。
【００２４】
これらのことから、容易に好環境で植物を育成可能となり、実用的な額型植物育成装置を提供することができるという効果を奏する。
【００２５】
上記第２態様の構成によれば、該箱形額内の上部に排気ファンが配置されているので、箱形額の外部に排気ファンを取着する場合よりも見栄えがよいという効果を奏する。
【００２６】
上記第３態様の構成によれば、排気装置を該箱形額の外部に配置し、該排気装置の吸気口と該箱形額の該排気口との間をパイプで接続するので、複数の額型植物育成装置に対し１つの排気装置を用いればよく、かつ、排気装置を室外などの外部に配置することができるという効果を奏する。
【００２７】
上記第４態様の構成によれば、床部材と蓋部材の間に培土を貯えることができ、また、該床部材の上面に複数の孔が形成されているので、該複数の孔を通して培養液を培土にその隙間での毛細管現象により徐々に与えることができるという効果を奏する。また、該蓋部材を備えているので、見栄えが向上するという効果を奏する。
【００２８】
上記第６態様の構成によれば、該箱形額の対向する側面の対向する位置にそれぞれ第１及び第２の該吸気口が形成され、該空気流路は、該第１の吸気口と該第２の吸気口との間を連通するパイプを有し、該パイプの該栽培槽の底面に沿った部分に気泡吐出孔が形成されているので、吸気口から流入したエアーの流れが箱形額内において略左右対称となり、左右に植えられた植物への影響が対称的になって、パワーが比較的小さい排気手段を用いることが可能となる（エアーの流れが非対称になった場合には、流れが少ない方にも充分な空気の流れを与える必要があるため、パワーが比較的大きい排気手段を備えなければならない。）。
【００２９】
また、左右に植えられた植物の一方がより成長してアンバランスになり見栄えが悪化するのを防止できる。
【００３０】
上記第７態様の構成によれば、該床部材に形成された複数の孔は、該気泡吐出孔と該蓋部材の開口との間に対応した部分に形成されたものの径が他の部分に形成されたものの径よりも大きいので、気泡が植物の根の付近をより多く通ることになり、植物の根にエアーを効率よく与えることが可能となるという効果を奏する。
【００３１】
上記第８態様の構成によれば、該箱形額の前面の該窓口の下方が不透明部であり、該不透明部の上辺高さ位置が該栽培槽の上端より高く、該不透明部の水平方向一端部に覗き孔が形成され、該栽培槽が透明部材で形成されているので、見栄えを悪化させることなく、該栽培槽内を確認することができるという効果を奏する。
【００３２】
上記第９態様の構成によれば、該排気手段により該箱形額内の空気を該排気口から排気させることにより、該箱形額内を負圧にして該吸気口から該箱形額の内部へ外気を流入させるとともにガス添加口を介して該箱形額の内部へ二酸化炭素ガスを流入させるので、エアーポンプと排気装置を用いた場合と比較して、該箱形額内への二酸化炭素の流入が円滑に行われるという効果を奏する。
【００３３】
上記第１０態様の構成によれば、該箱形額内の両側部の各々又は上部に照明灯が配設されているので、鑑賞効果を高めたり、光合成を活発化させたりすることができるという効果を奏する。この場合、該箱形額内の空気を排気しなければ該箱形額の略密閉構造によりその中に熱がこもることになるが、排気手段により熱も排気され、さらに、培養液の水分蒸発による気化熱で該箱形額内の温度上昇が妨げられる。
【００３４】
本発明の他の目的、構成及び効果は以下の説明から明らかになる。
【実施例１】
【００３５】
図５は、栽培槽が収容される箱形額１０の概略構成を示す分解斜視図である。図６は、この箱形額１０を組み立てた状態の正面中央を通る縦断面図である。
【００３６】
箱形額１０は、縦断面矩形の中枠１１を備え、その前面の段差部１１１に、シール部材１２１を介して額縁１３の段差部１３１が嵌合される。額縁１３には、窓口１３２が形成され、その縁部に形成された段差部１３３に、シール部材１２２を介して透明板１４が嵌合される。額縁１３の前面には、窓口１３２の四隅の各々に対応して、止め板１５がピン１６（図３参照）により回動自在に支持され、止め板１５を回動させることにより、止め板１５の板ばね作用で透明板１４がシール部材１２２を介し窓口１３２側へ押圧されて、窓口１３２が封止される。
【００３７】
中枠１１の背面には段差部１１１と同様な段差部１１２が形成され、これに、シール部材１２３を介して背板１７の周囲の段差部１７１が嵌合される。背板１７及び額縁１３は、不図示のねじにより中枠１１に螺着されて、箱形額１０の組立が完了する。
【００３８】
後述の培土や培養液を取り扱う関係上、中枠１１、額縁１３及び背板１７は、耐腐食性材料、例えばステンレススチール、アルミニウム、アルミニウム合金または合成樹脂等で形成するのが好ましい。また、透明板１４は、シール性及び透明性の観点から、ガラス板が好ましい。
【００３９】
次に、図１、図２及び図４を参照して、主に箱形額１０の内部構造を説明する。
【００４０】
図１は、中枠１１の内部構造を示す、正面に平行な面に沿った一部縦断面図であり、図２は、図１の構成において植物を育成している状態を示す一部縦断面図であり、図４は、中枠１１に収容される栽培槽２０とこれに関係した部分を示す斜視図である。
【００４１】
栽培槽２０には、縦断面コ字型の床部材としての床２１が挿入され、床２１の床板部の対向辺から下方へ延びた脚部２１１及び２１２の下端が、栽培槽２０の底面に接して、床２１と栽培槽２０の底面との間に空間が形成される。栽培槽２０の上端開口には、蓋部材としての蓋２２が載置される。床２１と蓋２２の間の空間には、図２に示すように、培土２３が貯えられ、これに対し下方の空間には、培養液２４が貯えられる。
【００４２】
培土２３には多数の小さな隙間があり、培養液２４が培土２３内に毛細管現象で浸透する。この浸透を適度に維持するためには、床２１の上面から数ミリ程度上まで培養液２４が貯えられていることが好ましい。
【００４３】
蓋２２には、培土２３に植設される植物が通るための穴２２１及び２２２が形成されている。一方、床２１の床板部には、培養液２４を通すための、多数の透過孔２１３、２１４及び２１５が形成されている。透過孔２１４及び２１５はそれぞれ、上方の穴２２１及び２２２に対応する位置に形成され、その他の部分に形成された透過孔２１３よりも径が大きくて、後述の気泡が通り易くなっている。床２１の上面には濾紙ＦＰが敷設されており、培土２３の一部が透過孔２１３〜２１５から培養液２４中に落下するのが防止される。
【００４４】
ここで、額縁１３の下部かつ隅部には、覗き穴１３４が形成されている。覗き穴１３４から栽培槽２０の内部を確認できるようにするため、栽培槽２０及び床２１は透明部材、例えばアクリル樹脂で形成されている。これに対し蓋２２は、見栄え上と耐腐食性とから、ステンレススチール、アルミニウム、アルミニウム合金又は合成樹脂などで形成するのが好ましい。
【００４５】
次に、上記気泡を生成するための構成について説明する。
【００４６】
床２１及び蓋２２の横幅方向両端部には孔が形成されており、これらにエアーパイプ２５が通されて、エアーパイプ２５がＵ字形になっている。エアーパイプ２５は、例えばフレキシブル合成樹脂で形成されている。このエアーパイプ２５も、覗き孔１３４から内部を確認できるように、透明部材で形成されている。エアーパイプ２５の、栽培槽底面に沿った部分には、上方の穴２２１及び２２２のそれぞれに対応して、気泡吐出孔２５１及び２５２が形成されている。
【００４７】
エアーパイプ２５の両端部は、図１に示す如く、中枠１１の対向する側面の孔に取着されたジョイント２６及び２７の内端部に接続されている。ジョイント２６及び２７の外端開口はそれぞれ、エアー吸気口２６１及び２７１を構成している。
【００４８】
一方、中枠１１内の上面中央部には、ローラーベアリングを用いた騒音が比較的少ない排気ファン３０が配設されている。排気ファン３０の排気口に対応して、中枠１１の一方の側面に孔が形成され、この孔と排気ファン３０の排気口との間がダクト３１で連結されている。このダクト３１の外端開口は、箱形額１０の排気口３１１となっている。
【００４９】
見栄え上、排気ファン３０やその配線が透明板１４を通して外部から視認されないようにするために、透明板１４の上辺高さ位置に対応して、仕切板３２が中枠１１内に架設されている。仕切板３２の中央部には、排気ファン３０に対応した穴が形成され、この穴に整流筒３３が嵌入され、その上端部が排気ファン３０の吸気口に接続されている。整流筒３３の下端開口には、ごみ等が排気ファン３０内に入らないように、エアーフィルタ３４が取着されている。エアーフィルタ３４は、見栄え上、中枠１１と同一材料、例えばステンレススチールのメッシュで構成されている。
【００５０】
中枠１１内にはさらに、その両側面に、蛍光管式照明装置４０及び４１が対向して配設され、その長手方向が中枠１１の高さ方向と平行になっている。蛍光管式照明装置４０及び４１は、見栄え上、透明板１４の両サイドよりも外側に位置している。
【００５１】
次に、上記の如く構成された本実施例の額型植物育成装置の作用を説明する。
【００５２】
図２に示すように、培土２３に植物を植え、額縁１３の窓口１３２を透明板１４により封止した状態で、排気ファン３０に電源を投入する。
【００５３】
箱形額１０は、吸気口２６１、２７１、排気口３１１以外が密閉構造となっているので、排気ファン３０により中枠１１内の空気がダクト３１を介し外部へ排出されると、中枠１１内が負圧になって、吸気口２６１及び２７１から外気がエアーパイプ２５内へ流入し、孔２５１及び２５２から気泡が吐出される。
【００５４】
これにより、培養液２４が攪拌されるとともに、気泡が主に透過孔２１４及び２１５を通り、さらに穴２２１及び２２２並びに培土２３内の隙間を通って上昇する。したがって、植物の根に空気が与えられ、根の酸素呼吸が充分なものとなって、根腐れが防止されるとともに植物の育成が助長される。この酸素呼吸により二酸化炭素が生成されるが、これは上昇して葉に与えられ、光合成が助長される。上昇した空気は、排気ファン３０を通って外部に排気される。図２中の矢印は、空気の流れを示している。
【００５５】
本実施例１によれば、箱形額１０内の空気を排気ファン３０で排気させることにより箱形額１０内を負圧にして、吸気口２６１及び２６２から外気を流入させ、栽培槽２０内の培養液２４内に気泡を吐出させるので、エアーポンプを用いることなく、培養液２４を攪拌するとともに植物の根に空気を供給して根腐れを防止しつつ植物の育成を助長でき、しかも、箱形額１０内を排気して植物の蒸散作用が妨げられるのを防止することができる。
【００５６】
また、エアーポンプを用いる必要がないので、部品点数を低減できるとともに、騒音を低減することができ、額型植物育成装置を壁に掛けたり置物にしたりしても室内滞在者に不快感を与えることが殆どない。
【００５７】
しかも、培土２３の下部に培養液２４を配置して毛細管現象で培土２３内に培養液２４を徐々に浸透させることができる。
【００５８】
これらのことから、容易に好環境で植物を育成可能となり、実用的な額型植物育成装置を提供することができる。
【００５９】
また、図３に示す如く、額縁１３の下部の隅部に覗き孔１３４を形成するとともに、透明の栽培槽２０を用いているので、見栄えを悪化させることなく、栽培槽２０内を確認することができる。
【００６０】
さらに、額型植物育成装置を正面から見てエアーパイプ２５が左右対称に配置され、気泡吐出孔２５１及び２５２も左右対称に形成され、その上方の透過孔２１４及び２１５並びに穴２２１及び２２２についても左右対称に形成され、さらに排気ファン３０が上面中央部に配設されているので、吸気口２６１及び２７１から流入したエアーの流れも中枠１１内において略左右対称となり、左右に植えられた植物への影響が対称的になる。これにより、パワーが比較的小さい排気ファン３０を用いることができる（エアーの流れが非対称になった場合には、流れが少ない方にも充分な空気の流れを与える必要があるため、パワーが比較的大きい排気ファン３０を備えなければならない。）。
【００６１】
また、蛍光管式照明装置４０及び４１を点灯させて、鑑賞効果を高めたり、光合成を活発化させたりすることができる。この場合、中枠１１内の空気を排気しなければ箱形額１０の密閉構造により箱形額１０内に熱がこもることになるが、排気ファン３０により熱も排気され、さらに、培養液２４の水分蒸発による気化熱で中枠１１内の温度上昇が妨げられる。
【００６２】
本実施例１の試作品の概略数値例は、次の通りであった。
【００６３】
箱形額１０：横幅４５０ｍｍ、高さ６００ｍｍ、奥行８０ｍｍ
エアーパイプ２５：外径７ｍｍ、内径６ｍｍ、気泡吐出孔の直径３〜４ｍｍ
排気ファン：ＤＣ１２Ｖ、０．３Ａ、最大風量０.２９ｍ3 ／ｍｉｎ
【実施例２】
【００６４】
図７は、本発明の実施例２の額型植物育成装置の、正面に平行な面に沿った一部縦断面図である。
【００６５】
この例では、中枠１１の対向する側面に、上述と同じ理由で、二酸化炭素添加用ジョイント５０と５１とが対称的に取着されている。ジョイント５０及び５１の、中枠１１から外側の部分にはそれぞれ、開度調整バルブ５３及び５４が設けられている。開度調整バルブ５３及び５４の吸気口５３１及び５４１にはそれぞれ、カートリッジ型二酸化炭素ボンベ５５及び５６のノズルが接続されている。
【００６６】
開度調整バルブ５３及び５４を操作して流路を開くと、カートリッジ型二酸化炭素ボンベ５５及び５６から二酸化炭素がそれぞれジョイント５０及び５１を介して中枠１１内に流入し、植物の光合成に利用される。排気ファン３０により中枠１１内が負圧になるので、カートリッジ型二酸化炭素ボンベ５５及び５６から中枠１１内への二酸化炭素の流入が円滑に行われ、その流量は、開度調整バルブ５３及び５４により調節される。
【００６７】
他の点は、上記実施例１と同一である。
【実施例３】
【００６８】
図８は、本発明の実施例３の、主に排気構成を示す、複数の額型植物育成装置の正面図である。
【００６９】
この例では、排気手段を構成する排気ファンを箱形額１０Ａ内に設ける代わりに、複数の箱形額１０Ａに対し外部に１つの排気装置３０Ａを配置し、複数の箱形額１０Ａの各排気口３１１と排気装置３０Ａとの間をダクト３１Ａ及び３１Ｂで接続している。排気装置３０Ａは、室外に配置することができる。排気装置３０Ａは、簡単な構成で騒音を防止するためには排気ファンであることが好ましいが、小型防音室に配置することもできるので、排気装置３０Ａとして、真空ポンプ等の排気手段を用いることも可能である。
【００７０】
他の点は、上記実施例１と同一である。
【００７１】
なお、本発明には外にも種々の変形例が含まれる。
【００７２】
例えば、箱形額１０は、中枠１１と背板１７とが熔着又は一体形成され、又は、中枠１１と額縁１３とが熔着又は一体形成された構成であってもよい。
【００７３】
また、上記実施例では植物の根を培土２３に植える場合を説明したが、植物をロックウール等に根付かせて培養液２４中に浸す水耕栽培にも本発明を適用可能であることは明らかである。
【００７４】
また、気泡吐出孔２５１及び２５２に対応して、排気ファン３０を中枠１１の上部２箇所に左右対称に配設する構成であってもよい。吸気口から栽培槽内まで外気を導く空気流路はエアーパイプに限定されず、例えば、装飾品内に形成された空気流路であってもよい。気泡吐出孔は一箇所以上であればよく、エアーパイプ２５を１つのジョイントに接続し、気泡吐出孔がパイプ解放端又はエアーストーンの多数の孔である構成であってもよい。また、気泡吐出孔を下向きに配置して気泡を下側へ吐出させる構成であってもよい。
【００７５】
さらに、吸気口２６１及び２７１は、中枠１１の上面又は背板１７側に設けてもよい。背板１７側に設ける場合、背板１７をその正面から見て、背板１７に屈曲凸部を形成し、この部分に吸気口２６１及び２７１を設けて、外気が入り易くするようにしてもよい。吸気口２６１、２７１及び排気口３１１は、中枠１１の孔自体であってもよい。
【００７６】
また、培養液２４として水を用いてもよい。この場合、例えば養分を培土２３に含ませることにより、養分を含む培養液を用いた場合と同様の効果が得られる。さらに、蓋部材は見栄えをよくするためのものであるので、なくてもよい。
【００７７】
また、本発明の額型植物育成装置は、壁に掛けるものに限定されず、縦置き型デスクトップコンピュータ本体を起立安定させる不図示のスタンド（脚体）のようなものに載置される置物であってもよい。
【００７８】
照明灯の配設位置は、箱形額内の両側部に限定されず、上部であってもよいことは勿論である。
【００７９】
さらに、植物の成長期には透明板１４の代わりにミラーを用い、蛍光管式照明装置４０及び４１からの光を該ミラーで反射させて植物に当て、光合成をより促進させるようにしてもよい。ハーブのような、鑑賞ではなく育成を主目的とする場合には、このミラーを用いるとともに、上記実施例２で述べた二酸化炭素添加を行うのが好ましい。
【００８０】
また、培養液２４の液位を検出して自動的に培養液２４を補給したり、中枠１１内の室温を検出し、その温度に応じて、排気ファン３０へ供給する電源電圧や交流周波数などを変えたり、複数個の排気ファン３０のうちオンにする個数を変えることにより、該温度を設定範囲内に制御する構成であってもよい。
【００８１】
上記実施例２においてこのように排気ファン３０のパワーを変えるとともにサイリスタ等で蛍光管式照明装置４０及び４１のパワーを変える構成にすれば、該パワーに応じて二酸化炭素添加量が自動的に好ましく変化することになる。実施例２と３の組み合わせにおいて、二酸化炭素ボンベも外部の離れた位置に配置する構成であってもよい。
【図面の簡単な説明】
【００８２】
【図１】箱形額の中枠の内部構造を示す、正面に平行な面に沿った一部縦断面図である。
【図２】図１の構成において植物を育成している状態を示す一部縦断面図である。
【図３】植物を育成している状態を示す、額型植物育成装置の正面図である。
【図４】中枠に収容される栽培槽とこれに直接関係した部分を示す斜視図である。
【図５】栽培槽が収容される箱形額の概略構成を示す分解斜視図である。
【図６】この箱形額を組み立てた状態の正面中央を通る縦断面図である。
【図７】本発明の実施例２の額型植物育成装置の、正面に平行な面に沿った一部縦断面図である。
【図８】本発明の実施例３の、主に排気構成を示す、複数の額型植物育成装置の正面図である。
【符号の説明】
【００８３】
１０、１０Ａ  箱形額
１１  中枠
１１１、１３３、１７１  段差部
１２１〜１２３  シール部材
１３  額縁
１３２  窓口
１３４  覗き孔
１４  透明板
１５  止め板
１６  ピン
１７  背板
１８  ボルト
２０  栽培槽
２１  床
２１１、２１２  脚部
２１３、２１４、２１５  透過孔
２２  蓋
２２１、２２２  穴
２３  培土
２４  培養液
２５  エアーパイプ
２５１、２５２  気泡吐出孔
２６、２７、５０、５１  ジョイント
２６１、２７１、５３１、５４１  吸気口
３０  排気ファン
３０Ａ  排気装置
３１、３１Ａ、３１Ｂ  ダクト
３１１  排気口
３２  仕切板
３３  整流筒
３４  エアーフィルタ
４０、４１  蛍光管式照明装置
５３、５４  開度調整バルブ
５５、５６  カートリッジ型二酸化炭素ボンベ
【図１】
2007174965.tif 000003
【図２】
2007174965.tif 000004
【図３】
2007174965.tif 000005
【図４】
2007174965.tif 000006
【図５】
2007174965.tif 000007
【図６】
2007174965.tif 000008
【図７】
2007174965.tif 000009
【図８】
2007174965.tif 000010